(57)【要約】【課題】魚釣り用の延べ竿の先端に連結されるとともに、水中糸に連結される釣り用仕掛けであって、全長の調節が可能で、延べ竿の操作性に悪影響を与えず、さらに、水中の流木等の障害物等と絡まり難い釣り用仕掛けを提供する。【解決手段】天井糸仕掛け５は、天井糸部１０と、結束部２０、３０と、連結具４０とを有し、天井糸部１０は、折返し位置を介して、本体領域１７と折返し領域１２とを有し、本体領域１７は、結束部２０を介して、相対領域１４と延設領域１６とを有している。結束部２０は、折返し領域１２の端部と本体領域１７とを結束し、折返し領域の端部に固定されるとともに本体領域に対してスライド可能であり、結束部３０は、折返し領域１２と相対領域１４とを結束し、折返し領域１２と相対領域１４に沿ってスライドする。【選択図】図１
0003199849.tif 000002
【実用新案登録請求の範囲】
【請求項１】
魚釣り用の延べ竿の先端に連結されるとともに、水中糸に連結される釣り用仕掛け（５）であって、
１本の天井糸により形成された天井糸部で、天井糸の一方の端部側を折返し位置で折り返すことにより、該一方の端部から折返し位置までの折返し領域（１２）と、天井糸における折返し位置から他方の端部までの領域である本体領域（１７）とを有し、本体領域が、折返し領域と相対する領域である相対領域（１４）と、相対領域における折返し位置側と反対側の端部から連設された延設領域（１６）とを有する天井糸部（１０）と、
折返し領域における折返し位置と反対側の端部と本体領域とを束ねる第１束ね部で、折返し領域における折返し位置と反対側の端部に固定されるとともに、本体領域に対してスライド可能に形成された第１束ね部（２０）と、
折返し領域と相対領域とを束ねる第２束ね部で、折返し領域及び相対領域に沿ってスライド可能に形成された第２束ね部（３０）と、
延設領域における相対領域と反対側の端部に取り付けられた連結具で、水中糸を連結するための連結具（４０）と、を有し、
第１束ね部を本体領域に対してスライドさせることにより、折返し領域を本体領域に沿った状態とした場合の天井糸部における折返し位置が変化して、該折返し位置から延設領域における連結具側の端部までの長さが変化し、
第２束ね部を折返し領域及び相対領域に沿ってスライドさせることにより、第２束ね部よりも折返し位置側の領域である環状部（１８）における天井糸部に沿った長さが変化するすることを特徴とする釣り用仕掛け。
【請求項２】
連結具が、天井糸部が連結されたリング状の天井糸連結部（４４）と、水中糸を連結するための紐状部（４６）とを有することを特徴とする請求項１に記載の釣り用仕掛け。
【請求項３】
第１束ね部と第２束ね部が、天井糸部を構成する天井糸よりも細い糸材を天井糸部に編み込むことにより形成されていることを特徴とする請求項１又は２に記載の釣り用仕掛け。
【考案の詳細な説明】
【技術分野】
【０００１】
本考案は、一方の端部が渓流釣り等に使用される延べ竿の先端に連結され、他方の端部が水中に没入される水中糸に連結される天井糸仕掛けに関するものであり、特に、一方の端部から他方の端部までの長さが調節可能な天井糸仕掛けに関するものである。
【背景技術】
【０００２】
従来より、イワナ、ヤマメ、アユ等を対象魚とする渓流釣りでは、主に延べ竿が用いられている。延べ竿とは、リールを使用しない釣り竿で、その先端には天井糸の被連結部が形成され、これに連結される釣り仕掛けとしては、延べ竿に連結され、その大部分が水上に露出される天井糸と、天井糸に連結され、水中に没入される水中糸と、水中糸に連結され釣り針等を備えた仕掛け部とを有する釣り仕掛けが一般的であり、釣り仕掛けの全長、つまり、天井糸の延べ竿側の端部から釣り針までの長さを調節可能とするために、例えば、図９に示すような天井糸仕掛けが用いられている。
【０００３】
この従来の天井糸仕掛け１００は、天井糸部１１０と、結束部１２０と、結束部１３０と、連結具１４０とを有している。
【０００４】
ここで、天井糸部１１０は、合成繊維製の天井糸（つまり、天井糸と呼ばれる釣り糸）により形成され、一方の端部に形成された環状部１１２と、他方の端部に形成された環状部１１４と、環状部１１２と環状部１１４との間に介在している線状部１１６とを有している。
【０００５】
つまり、天井糸部１１０を形成している１本の天井糸の一方の端部を含む端部領域が天井糸の中央側に折り返された領域１１２ａと、領域１１２ａの折り返し位置から連設され領域１１２ａと互いに相対する領域である領域１１２ｂとにより、延べ竿の先端の被連結部に連結するための環状部１１２が形成され、天井糸の他方の端部を含む端部領域が天井糸の中央側に折り返された領域１１４ａと、領域１１４ａの折り返し位置から連設され領域１１４ａと互いに相対する領域である領域１１４ｂとにより、連結具１４０を連結するための環状部１１４が形成され、領域１１２ｂと領域１１４ｂとの間に線状部１１６が介在している。
【０００６】
また、結束部１２０と結束部１３０とは、天井糸よりも細い合成繊維製の糸材の編み込みにより形成され、結束部１２０は、領域１１２ａの先端（つまり、領域１１２ａと領域１１２ｂとの境界である折返し位置とは反対側の端部で、天井糸の一方の端部）に固定されるとともに、領域１１２ａの先端と互いに相対する領域１１２ｂの先端（つまり、領域１１２ｂの端部で線状部１１６と隣接する側の端部）に、領域１１２ｂ及び線状部１１６に沿って位置移動可能に取り付けられている。
【０００７】
また、結束部１３０は、領域１１４ａの先端（つまり、領域１１４ａと領域１１４ｂとの境界である折返し位置とは反対側の端部で、天井糸の他方の端部）に固定されるとともに、領域１１４ａの先端と互いに相対する領域１１４ｂの先端（つまり、領域１１４ｂの端部で線状部１１６と隣接する側の端部）に、領域１１４ｂ及び線状部１１６に沿って位置移動可能に取り付けられている。
【０００８】
また、連結具１４０は、水中糸を連結するためのもので、軸部（図示せず）と、軸部に回転可能に設けられた回転部１４２と、軸部の上端から連設され、回転部１４２の上端から上方に突出したリング状部１４４と、回転部１４２の下端から連設された紐状部１４６で、合成繊維製の糸材を組み紐状に組んで形成された紐状部１４６（いわゆるリリアン）とを有していて、天井糸部１１０の環状部１１４を形成している天井糸をリング状部１４４に挿通することにより、連結具１４０は、環状部１１４に沿って位置移動可能に、天井糸部１１０に取り付けられている。
【０００９】
使用する際には、環状部１１２を延べ竿の先端の被連結部に連結する。つまり、延べ竿の被連結部に環状部１１２を引っ掛け、結束部１２０を天井糸仕掛け１００の一方の端部（つまり、領域１１２ａと領域１１２ｂとの境界位置）側に移動させ、環状部１１２を狭窄して、環状部１１２で被連結部を締め付けることにより、天井糸仕掛け１００を延べ竿に連結する。
【００１０】
また、連結具１４０と水中糸とを連結する。つまり、水中糸における仕掛け部と反対側の端部にチチワを形成し、チチワ止め（つまり、チチワにより紐状部１４６を締め付けること）により、連結具１４０の紐状部１４６と水中糸とを連結する。
【００１１】
そして、天井糸仕掛け１００の長さを調節する際には、結束部１３０を連結具１４０側に移動させたり、環状部１１２側に移動させることにより行う。つまり、結束部１３０を連結具１４０に近づけることにより、領域１１４ａと領域１１４ｂの長さ（つまり、天井糸における重複部分の長さ）が短くなるとともに、線状部１１６の長さが長くなるので、天井糸仕掛け１００の全長が長くなり、結束部１３０を連結具１４０から遠ざけることにより、領域１１４ａと領域１１４ｂの長さ（つまり、天井糸における重複部分の長さ）が長くなるとともに、線状部１１６の長さが短くなるので、天井糸仕掛け１００の全長が短くなる。
【００１２】
この天井糸仕掛け１００によれば、天井糸仕掛け１００の長さを調節することにより、天井糸仕掛け１００を用いて組み立てられた釣り仕掛けの長さを調節することができる。
【考案の概要】
【考案が解決しようとする課題】
【００１３】
しかし、上記従来の天井糸仕掛け１００においては、環状部１１４が水中糸との連結側に設けられているので、環状部１１４が水中に没すると、通常の１本の線状の釣り糸が水中に没した場合よりも水流の影響を受け易く、その影響が延べ竿に伝わり、延べ竿の操作性を阻害したり、環状部１１４が水中に没した流木等の障害物に引っ掛かって絡まったり、水中糸の先端に連結された仕掛け部が環状部１１４に引っ掛かって水中糸が絡まったりするという問題がある。
【００１４】
そこで、本考案は、魚釣り用の延べ竿の先端に連結されるとともに、水中糸に連結される釣り用仕掛けであって、全長の調節が可能で、延べ竿の操作性に悪影響を与えず、さらに、水中の流木等の障害物等と絡まり難い釣り用仕掛けを提供することを目的とする。
【課題を解決するための手段】
【００１５】
本考案は上記問題点を解決するために創作されたものであって、第１には、魚釣り用の延べ竿の先端に連結されるとともに、水中糸に連結される釣り用仕掛け（５）であって、１本の天井糸により形成された天井糸部で、天井糸の一方の端部側を折返し位置で折り返すことにより、該一方の端部から折返し位置までの折返し領域（１２）と、天井糸における折返し位置から他方の端部までの領域である本体領域（１７）とを有し、本体領域が、折返し領域と相対する領域である相対領域（１４）と、相対領域における折返し位置側と反対側の端部から連設された延設領域（１６）とを有する天井糸部（１０）と、折返し領域における折返し位置と反対側の端部と本体領域とを束ねる第１束ね部で、折返し領域における折返し位置と反対側の端部に固定されるとともに、本体領域に対してスライド可能に形成された第１束ね部（２０）と、折返し領域と相対領域とを束ねる第２束ね部で、折返し領域及び相対領域に沿ってスライド可能に形成された第２束ね部（３０）と、延設領域における相対領域と反対側の端部に取り付けられた連結具で、水中糸を連結するための連結具（４０）と、を有し、第１束ね部を本体領域に対してスライドさせることにより、折返し領域を本体領域に沿った状態とした場合の天井糸部における折返し位置が変化して、該折返し位置から延設領域における連結具側の端部までの長さが変化し、第２束ね部を折返し領域及び相対領域に沿ってスライドさせることにより、第２束ね部よりも折返し位置側の領域である環状部（１８）における天井糸部に沿った長さが変化するすることを特徴とする。
【００１６】
第１の構成においては、該環状部を延べ竿の先端に引っ掛けた状態で、第２結束部をスライドさせて環状部における天井糸に沿った長さを短くして環状部を延べ竿の先端に締め付けることにより、釣り用仕掛けを延べ竿の先端に連結させることができる。また、水中糸は、該連結具を介して連結する。
【００１７】
第１の構成の釣り用仕掛けによれば、第１結束部を本体領域に対してスライドさせることにより、天井糸における折返し位置が変化して、延設領域における相対領域側と反対側の端部と該折返し位置間の長さが変化するので、釣り用仕掛けの長さを調節することができ、釣り用仕掛けの長さを調節することにより、釣り用仕掛けを用いて組み立てられた仕掛け全体の全長を調節することができる。
【００１８】
また、水中糸が連結される連結具が、延設領域の端部に連結されているので、使用に際して、延設領域が１本の糸で構成されていて天井糸が重複した構成となっていないので、延設領域が水中に没入しても、従来のように連結具が環状部に連結された構成と比べて、天井糸における連結具が連結された領域（延設領域）が水流から受ける影響が弱いため、延べ竿の操作性が阻害されず、また、延設領域が水中に没した流木等の障害物等に引っ掛かったり、絡まったりし難い。
【００１９】
また、第２には、上記第１の構成において、連結具が、天井糸部が連結されたリング状の天井糸連結部（４４）と、水中糸を連結するための紐状部（４６）とを有することを特徴とする。よって、水中糸との連結に際しては、水中糸の先端に設けたチチワを紐状部に連結する等して水中糸を連結具に連結すればよい。
【００２０】
また、第３には、上記第１又は第２の構成において、第１束ね部と第２束ね部が、天井糸部を構成する天井糸よりも細い糸材を天井糸部に編み込むことにより形成されていることを特徴とする。
【考案の効果】
【００２１】
本考案に基づく釣り用仕掛けによれば、第１結束部を本体領域に対してスライドさせることにより、天井糸における折返し位置が変化して、延設領域における相対領域側と反対側の端部と該折返し位置間の長さが変化するので、釣り用仕掛けの長さを調節することができ、釣り用仕掛けの長さを調節することにより、釣り用仕掛けを用いて組み立てられた仕掛け全体の全長を調節することができる。
【００２２】
また、水中糸が連結される連結具が、延設領域の端部に連結されているので、使用に際して、延設領域が１本の糸で構成されていて環状になっていないので、延設領域が水中に没入しても、従来のように連結具が環状部に連結された構成と比べて、天井糸における連結具が連結された領域（延設領域）が水流から受ける影響が弱いため、延べ竿の操作性が阻害されず、また、延設領域が水中に没した流木等の障害物等に引っ掛かったり、絡まったりし難い。
【図面の簡単な説明】
【００２３】
【図１】天井糸仕掛けの構成を示す説明図であり、天井糸部の長さを短くした状態を示す説明図である。
【図２】天井糸仕掛けの構成を示す説明図であり、天井糸部の長さを長くした状態を示す説明図である。
【図３】天井糸仕掛けの使用状態を示す説明図である。
【図４】天井糸仕掛けの使用状態を示す説明図である。
【図５】結束部２０の拡大図である。
【図６】結束部２０の他例の拡大図である。
【図７】延べ竿と天井糸仕掛けの連結について示す説明図である。
【図８】延べ竿と天井糸仕掛けの連結についての他例を示す説明図である。
【図９】従来の天井糸仕掛けの構成を示す説明図である。
【考案を実施するための形態】
【００２４】
本考案においては、全長の調節が可能な天井糸仕掛けであって、延べ竿の操作性に悪影響を与えず、また、水中の流木等の障害物と絡まり難い天井糸仕掛けを提供するという目的を以下のようにして実現した。
【００２５】
本考案に基づく天井糸仕掛け（釣り用仕掛け）５は、図３、図４に示すように、一方の端部が、渓流釣り等に使用される延べ竿Ｒ（リールを使用しない釣り竿）の先端に連結され、他方の端部が、水中に没入される水中糸Ｌに連結されるものであり、具体的には、図１、図２に示すように構成され、天井糸部１０と、結束部２０（第１束ね部）と、結束部３０（第２束ね部）と、連結具４０と、摘み部５０とを有している。
【００２６】
ここで、天井糸部１０は、ナイロン、フロロカーボン、フロロナイロン、ＰＥ、ポリエチレンテレフタレート等の合成繊維製の１本の線状の天井糸（つまり、天井糸と呼ばれる釣り糸）により形成されている。
【００２７】
また、天井糸部１０は、天井糸の一方の端部を含む端部領域が天井糸の中央側に折り返えされた領域である折返し領域１２（第１領域）と、折返し領域１２から連設され、折返し領域１２と相対する領域である相対領域１４（第２領域）と、相対領域１４の先端（つまり、折返し領域１２と相対領域１４との境界位置である折返し位置１３と反対側の端部）から連設された領域である延設領域１６（第３領域）とを有している。延設領域１６の相対領域１４と反対側の端部が天井糸の他方の端部となる。なお、相対領域１４と延設領域１６とで本体領域１７が構成される。
【００２８】
次に、結束部２０は、折返し領域１２の先端（つまり、折返し領域１２の折返し位置１３と反対側の端部であり、天井糸の一方の端部）に固定されるとともに、折返し領域１２の先端と互いに相対する相対領域１４の先端（相対領域１４における延設領域１６側の端部）に、本体領域１７に沿ってスライド可能に取り付けられ、結束部２０により、折返し領域１２の先端と相対領域１４の先端とが結束されている。
【００２９】
具体的には、図５に示すように、結束部２０は、ナイロン等の合成繊維製の糸材で天井糸よりも細い糸材を相対領域１４の先端に編み込むことにより形成され、相対領域１４に固定されておらず、そのため、結束部２０は、相対領域１４及び延設領域１６を形成している天井糸に沿って位置移動可能であり、また、天井糸の一方の端部は、結束部２０を形成している糸材に結び付けられている。つまり、結束部２０の位置移動により、折返し領域１２、相対領域１４及び延設領域１６の長さを変更することが可能となっている。
【００３０】
また、図６に示すように、結束部２０’を形成した構成としてもよい。つまり、天井糸部１０の折返し領域１２の先端側の端部領域に止め結びにより形成した２つの結び目１２ａ、１２ｂを間隔を介して形成し、折返し領域１２における結び目１２ａと結び目１２ｂ間の部分である結び目間領域１２ｃを本体領域１７に沿って重ね合わせ、ナイロン等の合成繊維製の糸材で天井糸よりも細い糸材を結び目間領域１２ｃと本体領域１７（つまり、相対領域１４の延設領域１６側の端部）との重なった部分に編み込むことにより、結束部２０’を形成した構成としてもよい。
【００３１】
この結束部２０’は、本体領域１７に対してスライド可能であり、また、結束部２０’が結び目１２ａ、１２ｂ間に形成されて、結束部２０’の移動が結び目１２ａ、１２ｂに規制されるので、結束部２０’が結び目間領域１２ｃから離脱することがない。
【００３２】
つまり、結束部２０、２０’は、折返し領域１２における折返し位置１３と反対側の端部と本体領域１７とを束ね、折返し領域１２における折返し位置１３と反対側の端部に固定されるとともに、本体領域１７に対してスライド可能に形成されている。
【００３３】
次に、結束部３０は、折返し領域１２における任意の位置である取り付け位置（第１取り付け位置）に、折返し領域１２に沿って位置移動可能に取り付けられるとともに、相対領域１４における取り付け位置で、折返し領域１２における取り付け位置と互いに相対する取り付け位置（第２取り付け位置）に、相対領域１４に沿って位置移動可能に取り付けられ、結束部３０により、折返し領域１２における取り付け位置と、相対領域１４における取り付け位置とが結束されている。つまり、結束部３０は、折返し領域１２と相対領域１４とを束ね、折返し領域１２及び相対領域１４に沿ってスライド可能に形成されている。
【００３４】
つまり、天井糸仕掛け５の一方の端部には、折返し領域１２における結束部３０から折返し位置１３までの領域と、相対領域１４における折返し位置１３から結束部３０までの領域により環状部１８が形成されている。
【００３５】
また、結束部３０は、ナイロン等の合成繊維製の糸材で天井糸よりも細い糸材を折返し領域１２における取り付け位置と相対領域１４における取り付け位置とが重合された重合部の上から重合部を包み込むように編み込むことにより形成され、折返し領域１２及び相対領域１４に対して位置移動可能となっている。
【００３６】
よって、結束部３０を折返し領域１２及び相対領域１４に沿ってスライドさせることにより、結束部３０よりも折返し位置１３側の領域である環状部１８における天井糸に沿った長さ（折返し領域１２における結束部３０から折返し位置１３までの長さと相対領域１４における結束部３０から折返し位置１３までの長さとを加算した長さ）が変化する（環状部１８を円形とした場合の該円の径が変化するとしてもよい）。
【００３７】
結束部２０、３０としては、糸材でなくても、天井糸を束ねる構成であればよく、例えば、筒状の部材により構成してもよい。なお、当然、結束部２０を筒状とした場合でも、折返し領域１２の先端が固定された構成となる。
【００３８】
次に、連結具４０は、図１〜図４に示すように、水中糸Ｌを連結するためのもので、円柱状の軸部（図示せず）と、軸部に回転可能に設けられた回転部４２と、軸部の上端から連設され、回転部４２の上端から上方に突出したリング状部（天井糸連結部）４４と、回転部４２の下端から連設された紐状部４６で、ナイロン等の合成繊維製の糸材を組み紐状に組んで形成された紐状部４６（いわゆるリリアン）とを有している。回転部４２は、軸部の側面に周設された側面部と、側面部の上端に設けられた上面部と、側面部の下端に設けられた下面部とを有して、軸部を包むように構成されていて、上面部には、リング状部４４の下端の軸状部が挿通する穴部が設けられている。リング状部４４は、回転部４２の上面部に固定された軸状部と、軸状部の上端から連設されたリング状のリング状部本体とを有している。リング状部４４のリング状部本体には、天井糸の他方の端部（延設領域１６における相対領域１４と反対側の端部）が挿通され、天井糸の他方の端部をリング状部４４の該リング状部本体に結び付けることにより、連結具４０は、天井糸部１０に連結されている。紐状部４６は、回転部４２の下面部に固定して設けられている。つまり、リング状部４４が該軸部に固定され、紐状部４６が回転部４２に固定されており、回転部４２が該軸部に対して回転することにより、紐状部４６がリング状部４４に対して回転することになる。
【００３９】
なお、紐状部４６の先端には、紐状部４６を止め結びすることにより、結び目４６ａが形成され、この結び目４６ａにより、紐状部４６に取り付けられた水中糸Ｌの抜け落ちが防止される。
【００４０】
次に、摘み部５０は、使用者が天井糸仕掛け５を取り扱う際に摘むためのもので、ナイロン等の合成繊維製の糸材で天井糸よりも細い糸材を環状部１８に編み込むことにより環状部１８に取り付けられ、環状部１８に対して位置移動可能であり、折返し位置１３に位置させることができる。
【００４１】
次に、天井糸仕掛け５の使用状態について説明する。天井糸仕掛け５を使用する際には、図３、図４に示すように、天井糸仕掛け５の環状部１８と延べ竿Ｒの被連結部Ｒ１とを連結し、天井糸仕掛け５の連結具４０と水中糸Ｌとを連結する。
【００４２】
つまり、図７に示すように、延べ竿Ｒの被連結部Ｒ１が、棒状部Ｒ２と、円板部Ｒ３とを有し、棒状部Ｒ２が、延べ竿Ｒの先端から連設され竿先よりも細く形成され、その長手方向が延べ竿Ｒの長手方向に沿って形成され、円板部Ｒ３が、棒状部Ｒ２の先端から連設され、その径方向が延べ竿Ｒの長手方向に対して直交し、その径（直径）は、棒状部Ｒ２の径（直径）よりも大きく形成されている。
【００４３】
そして、天井糸仕掛け５の環状部１８を被連結部Ｒ１の棒状部Ｒ２に引っ掛け、つまり、環状部１８に棒状部Ｒ２を挿通し、結束部３０を折返し位置１３側に移動させ、環状部１８を狭窄し、環状部１８で棒状部Ｒ２を締め付けるとともに、環状部１８を円板部Ｒ３に係止させることにより、天井糸仕掛け５と延べ竿Ｒとを連結する。
【００４４】
また、図８に示すように、環状部１８をチチワとして、いわゆるチチワ止めにより、環状部１８と被連結部Ｒ１とを連結してもよい。つまり、環状部１８の先端を奥側（背面側）に折り返し、環状部１８の先端を環状部１８の基端側に重ねて２つの輪を形成し、この２つの輪をそれぞれ手前側（正面側）に捩って向かい合わせ、互いに相対した状態の２つ輪に棒状部Ｒ２を挿通し、天井糸仕掛け５の全体を連結具４０側に引くことにより、上記２つの輪を狭窄し、２つの輪で棒状部Ｒ２を締め付けるとともに、２つの輪を円板部Ｒ３に係止させることにより、天井糸仕掛け５と延べ竿Ｒとを連結する。この際、結束部３０を位置移動させる必要はない。
【００４５】
また、図３、図４に示すように、水中糸Ｌにおいては、一方の端部にチチワＬ１が形成され、中央部に複数の目印Ｌ２が取り付けられ、例えば、鮎釣り用の釣り仕掛けならば、他方の端部には、逆さ針Ｎ、ハナカンＷ等を備えた仕掛け部Ｄが連結されており、この水中糸を連結する際には、上記環状部１８と延べ竿Ｒとの連結の場合と同様に、チチワ止めにより連結すればよい。
【００４６】
つまり、チチワＬ１の先端を奥側（背面側）に折り返し、チチワＬ１の先端をチチワＬ１の基端側に重ねて２つの輪を形成し、この２つの輪をそれぞれ手前側（正面側）に捩って向かい合わせ、互いに相対した状態の２つ輪に連結具４０の紐状部４６を挿通し、水中糸Ｌの全体を仕掛け部Ｄ側に引くことにより、上記２つの輪を狭窄し、２つの輪で紐状部４６を締め付けるとともに、２つの輪を結び目４６ａに係止させることにより、天井糸仕掛け５と水中糸Ｌとを連結する。また、図示しないが、チチワを形成せず、水中糸Ｌの一方の端を徳利結び等の適宜結び方で連結具４０の紐上部４６に結び付けてもよい。
【００４７】
また、天井糸仕掛け５の長さを調節する際には、結束部３０を結束部２０側に移動させて、環状部１８の被連結部Ｒ１への締付けを緩めた状態で、結束部２０を連結具４０側に移動させたり、結束部２０を環状部１８側に移動させることにより行う。
【００４８】
つまり、図１に示すように、結束部２０を連結具４０に近づけることにより、折返し領域１２と相対領域１４の長さが長くなり、天井糸が重複する部分（つまり、折返し領域１２と相対領域１４）の長さが長くなるとともに、天井糸が重複していない領域である延設領域１６の長さが短くなるので、天井糸部１０の長さが短くなり、天井糸仕掛け５の全長が短くなり、図２に示すように、結束部２０を連結具４０から遠ざけることにより、折返し領域１２と相対領域１４の長さが短くなり、天井糸が重複する部分の長さが短くなるとともに、天井糸が重複していない領域である延設領域１６の長さが長くなるので、天井糸部１０の長さが長くなり、天井糸仕掛け５の全長が長くなる。以上のようにして、結束部２０を本体領域１７に対してスライドさせることにより、折返し領域１２を本体領域１７に沿った状態（図１や図２に示す状態）とした場合の天井糸部１０における折返し位置１３が変化して、該折返し位置１３から延設領域１６における連結具４０側の端部までの長さ（延設領域１６における相対領域１４側と反対側の端部（つまり、天井糸部１０の下端（結束具側の端部））と該折返し位置１３間の長さ）が変化する。
【００４９】
この天井糸仕掛け５によれば、結束部２０を連結具４０に近づけたり、結束部２０を連結具４０から遠ざけたりすることにより、天井糸部１０の折返し領域１２、相対領域１４、延設領域１６の長さを調節して、天井糸仕掛け５の長さを調節することができ、天井糸仕掛け５の長さを調節することにより、天井糸仕掛け５を用いて組み立てられた釣り仕掛けの全長を調節することができる。
【００５０】
また、水中糸Ｌが連結される連結具４０が、天井糸部１０における天井糸が重複していない領域である延設領域１６の端部に連結されているので、使用に際して、延設領域１６が水中に没入しても、連結具１４０が環状部１１４に連結された従来の天井糸仕掛け１００に比べて、本考案の天井糸仕掛け５においては、天井糸部１０が水流から受ける影響が弱いため、延べ竿Ｒの操作性が阻害されず、また、天井糸部１０が水中に没した流木等の障害物等に引っ掛かったり、絡まったりし難い。
【符号の説明】
【００５１】
５  天井糸仕掛け
１０  天井糸部
１２  折返し領域
１２ａ、１２ｂ  結び目
１２ｃ  結び目間領域
１４  相対領域
１６  延設領域
１３  折返し位置
１８  環状部
２０、２０’、３０  結束部
４０  連結具
４２  回転部
４４  リング状部
４６  紐状部
４６ａ  結び目
５０  摘み部
Ｄ  仕掛け部
Ｌ  水中糸
Ｌ１  チチワ
Ｌ２  目印
Ｎ  逆さ針
Ｒ  延べ竿
Ｒ１  被連結部
Ｒ２  棒状部
Ｒ３  円板部
Ｗ  ハナカン
【図１】
0003199849.tif 000003
【図２】
0003199849.tif 000004
【図３】
0003199849.tif 000005
【図４】
0003199849.tif 000006
【図５】
0003199849.tif 000007
【図６】
0003199849.tif 000008
【図７】
0003199849.tif 000009
【図８】
0003199849.tif 000010
【図９】
0003199849.tif 000011